(57)【要約】【課題】テーブルの幕板の裏面側に配線などの物を収納する収納部を有する幕板において、幕板の上部を、複雑な幕板開閉機構を設けることなく、簡単な構造で開口できるようにする。【解決手段】テーブル１の天板５の下部に備えられる幕板１０において、芯材１１を可撓性を有する被覆材２２で被覆するとともに、被覆材２２の上部を左右方向において部分的に表裏方向へ変形できるように前記芯材１１を構成する。【選択図】図１
2006305054.tif 000002
【特許請求の範囲】
【請求項１】
テーブルの天板の下部に備えられる幕板において、芯材を可撓性を有する被覆材で被覆するとともに、被覆材の上部を左右方向において部分的に表裏方向へ変形できるように前記芯材を構成したことを特徴とするテーブル用幕板。
【請求項２】
テーブルの天板の下部に備えられる幕板において、芯材を可撓性を有する被覆材で被覆し、芯材の上部に表裏方向と上方を開口した空間を設けたことを特徴とするテーブル用幕板。
【請求項３】
前記空間を幕板の左右方向において部分的に設けたことを特徴とする請求項２記載のテーブル用幕板。
【請求項４】
テーブルの天板の下部に備えられる幕板において、芯材を可撓性を有する被覆材で被覆し、芯材の上部における左右方向の一部を、下側を支点として表裏方向に回転可能な回転突状部としたことを特徴とするテーブル用幕板。
【請求項５】
前記被覆材を伸縮可能な素材又は伸縮可能に編成した布で形成した請求項１乃至４のいずれかに記載のテーブル用幕板。
【請求項６】
前記被覆材を芯材に着脱可能に備えた請求項１乃至５のいずれかに記載のテーブル用幕板。
【請求項７】
前記芯材の裏側における被覆材の裏面に収納部を設けた請求項１乃至６のいずれかに記載のテーブル用幕板。
【請求項８】
前記芯材部の、少なくとも前記収納部が位置する部位に芯板を設けた請求項７記載のテーブル用幕板。
【請求項９】
前記芯材を、金属パイプを組み付けて形成するか或いは板材で形成した請求項１乃至８のいずれかに記載のテーブル用幕板。
【発明の詳細な説明】
【技術分野】
【０００１】
本発明はテーブル用幕板に関する。
【背景技術】
【０００２】
従来、テーブルに着席した人のひざ元を隠す手段として使用される、テーブルの天板の下方に備えられた幕板として、木製や樹脂製の板材を天板の裏面から吊るし、該板材の下部を支脚に支持させて、その幕板を固定的に設置したものが知られている。
【０００３】
また、幕板全体をテーブルの前後方向に回転可能に設けるとともに、この幕板の開閉機構を備えて、天板と幕板との間を開閉できるようにし、幕板の後側には収納空間を設け、該収納空間にパソコン等の電源コードやコンセントタップ等を収納することによって、テーブル上面を整頓したり、床への配線による足元の邪魔なコードを無くするようにしたものも知られている。
【発明の開示】
【発明が解決しようとする課題】
【０００４】
前記従来の固定的な幕板を用いるものにおいては、その幕板の後側に配線などの収納部を設けてもその配線等の出し入れが困難である。
【０００５】
また、前記のように、幕板全体の回転によって幕板の上部を開閉するようにしたものは、ダクトの配管や幕板の開閉機構も複雑化し、製造に手間が掛かる他、高価になる問題があった。
【０００６】
そこで本発明は、前記従来の問題点を解決するとともに特有な効果を奏するテーブル用幕板を提供することを目的とするものである。
【課題を解決するための手段】
【０００７】
前記の課題を解決するために、請求項１記載の発明は、テーブルの天板の下部に備えられる幕板において、芯材を可撓性を有する被覆材で被覆するとともに、被覆材の上部を左右方向において部分的に表裏方向へ変形できるように前記芯材を構成したことを特徴とするものである。
【０００８】
請求項２記載の発明は、テーブルの天板の下部に備えられる幕板において、芯材を可撓性を有する被覆材で被覆し、芯材の上部に表裏方向と上方を開口した空間を設けたことを特徴とするものである。
【０００９】
請求項３記載の発明は、請求項２記載の発明において、前記空間を幕板の左右方向において部分的に設けたことを特徴とするものである。
【００１０】
請求項４記載の発明は、テーブルの天板の下部に備えられる幕板において、芯材を可撓性を有する被覆材で被覆し、芯材の上部における左右方向の一部を、下側を支点として表裏方向に回転可能な回転突状部としたことを特徴とするものである。
【００１１】
請求項５記載の発明は、請求項１乃至４のいずれかに記載の発明において、前記被覆材を伸縮可能な素材又は伸縮可能に編成した布で形成したものである。
【００１２】
請求項６記載の発明は、請求項１乃至５のいずれかに記載の発明において、前記被覆材を芯材に着脱可能に備えたものである。
【００１３】
請求項７記載の発明は、請求項１乃至６のいずれかに記載の発明において、前記芯材の裏側における被覆材の裏面に収納部を設けたものである。
【００１４】
請求項８記載の発明は、請求項７記載の発明において、前記芯材部に、少なくとも前記収納部が位置する部位に芯板を設けたものである。
【００１５】
請求項９記載の発明は、請求項１乃至８のいずれかに記載の発明において、前記芯材を、金属パイプを組み付けて形成するか或いは板材で形成したものである。
【発明の効果】
【００１６】
幕板の上部を開口する場合には、請求項１記載の発明においては、幕板の上部を部分的に手で変形し、また、請求項２及び３の発明においては、空間部における幕板を構成する被覆材の上部を単に手で押し変形させたり、表裏方向へ変形させるのみでよい。また、請求項４の発明においては、芯材に形成した回動突状部を手で表側へ回転するのみでよい。したがって、従来のような機械的開閉機構が不要となり、構造が簡単で安価に形成できるとともに、開閉操作も容易である。
【００１７】
更に、請求項４記載の発明によれば、回動突状部を幕板の左右方向に長く形成して、開口位置における被覆材の通常形態を保持するとともに、開口時には広い範囲に亘って幕板を開口することができ、収納部の全域に亘る配線作業が容易に行なえる。
【００１８】
請求項５記載の発明によれば、被覆材が伸びることにより、大きく開口できる。
請求項６記載の発明によれば、被覆材を芯材に着脱可能に備えたことにより、被覆材を取り替えたり、洗濯することが可能になり、かつ、廃棄する際の材料毎の分別が容易になる。
【００１９】
請求項７記載の発明によれば、収納部への配線等が容易に行える。
請求項８記載の発明によれば、収納部に物を収納して、該収納部が膨らんだ場合でも、芯板によって幕板の表面側への膨らみを阻止でき、幕板の外観性を損ねることを防止できる。
【００２０】
請求項９記載の発明によれば、芯材を金属パイプで形成した場合と、芯材を一枚の板材で形成した場合において、前者によれば後者より軽量化でき、また、後者によれば、一枚の板の周囲を所定形状に切断するのみでよいため、前者よりも製造が容易になる。
【発明を実施するための最良の形態】
【００２１】
本発明を実施するための最良の形態を図１乃至図１３に示す実施例に基づいて説明する。
【実施例１】
【００２２】
図１乃至図５は実施例１を示す。
本実施例１の幕板１０は、金属パイプなどからなる棒材で所望の枠形に組付けて形成した硬質の芯材１１を、テーブル１の天板５と支脚２，２とに連結して設け、伸縮材を織り込むなどして形成した伸縮性のある被覆材２２を袋状に形成して、この被覆材２２で前記芯材１１を覆うように被せて構成されている。
【００２３】
本発明の幕板は、フラップテーブルやその他の天板が不動の通常のテーブルにも適用できるものであるが、実施例として、フラップテーブルに適用した例で説明する。
【００２４】
本実施例１の幕板１０は図１乃至図５に示すように、フラップテーブル１の天板５の前側下方において使用したもので、該フラップテーブル１は、左右の支脚２，２と、該支脚２，２の下端の横脚２ａに設けたキャスタ３と、図２に示すように、支脚２，２の上端に設けた支持金具４，４とで概ね構成されている。
【００２５】
天板５の裏面の左右には天板受金具６，６が固設されており、該天板受金具６，６と前記支持金具４，４とが水平回転軸７により回転可能に連結され、天板５が水平回転軸７を中心として前後方向に回転し、図２に示す水平姿勢と図３に示す起立姿勢とに起倒するようになっている。
【００２６】
天板５の水平姿勢と起立姿勢の保持は周知の方法を用いるもので、例えば図２に示す前記支持金具４，４の上部に図示しない２つのロック溝を形成し、操作レバー９の回転軸８には図示しないロック金具を設け、天板５の水平姿勢において、操作レバー９の回動によりロック金具を一方のロック溝に嵌合することにより天板５の起立方向への回動を阻止して水平姿勢を保持し、天板５の起立姿勢において、操作レバー９の回動によりロック金具を他方のロック溝に嵌合することにより天板５の水平方向への回動を阻止して起立姿勢を保持するようになっている。
【００２７】
次に幕板１０について詳述する。
前記の幕板１０を構成する芯材１１は、図４に示すような外枠１２を有する。該外枠１２は、下枠１２ａと左右枠１２ｂ，１２ｂとからなる横長のＵ字状に形成され、その左右長Ｌは、前記天板５の左右長と略同長に形成され、高さＨは、天板５に付設した際に、該幕板１０で着席者のひざが前側から見えない所望の高さ（幅）に設定されている。また、この外枠１２における左右枠１２ｂの上端１２ｃから所定量ｈ（人の手が入る程度の長さ）下がった位置に外枠１２の両端に亘って横フレーム１３が水平に架設されている。また、外枠１２の中央には横フレーム１３と外枠１２の下枠１２ａとに亘って縦フレーム１４が縦方向に固設されている。
【００２８】
また、前記外枠１２の両端から所定量内側に入った位置（フラップテーブル１の支脚２，２より若干内側）には、２本の連結フレーム１５，１５が、外枠１２の下枠１２ａと横フレーム１３とに亘って縦方向に固設され、該連結フレーム１５，１５の上端には外枠１２の中心側に屈曲した取付部１６，１６が水平方向に形成されている。そして、図１に示すように、この屈曲した取付部１６，１６が天板５の前側裏面に固着した上部支持具１７，１７に回転可能に取付けられている。更に、該２本の連結フレーム１５，１５の下端部１８、すなわち、外枠１２と連結フレーム１５，１５との接続部には、図１及び図２に示すように下部支持具１９，１９が取付けられ、該下部支持具１９，１９と支脚２，２とがリンク１１ａにより回動可能に接続されている。
【００２９】
なお、前記取付部１６は上部支持具１７に対して分離可能に取付けられ、また、芯材１１とリンク１１ａとは分離可能に取付けられている。
【００３０】
また、図４に示すように、前記横フレーム１３の上側には逆Ｕ字の固定突状部２０，２０が、縦フレーム１４と連結フレーム１５，１５との間の所定の位置に左右に一つずつ部分的に突設されている。該固定突状部２０，２０の上端の位置（高さ）と、前記連結フレーム１５，１５の取付部１６の位置（高さ）は、前記外枠１２における左右枠１２ｂ，１２ｂの上端１２ｃの位置（高さ）と同等に設定されている。
【００３１】
前記２本の連結フレーム１５，１５と中央の縦フレーム１４の間で、かつ、横フレーム１３の下側には木板等の板材からなる芯板２１が、外枠１２の上下方向の略中央において、外枠１２の上下方向における略１／３程度の幅Ｄに形成されて備えられている。そして、該芯板２１は、連結具２１ａによって連結フレーム１５，１５と縦フレーム１４と横フレーム１３に固設されている。なお、この芯板２１は、少なくとも前記の位置、すなわち、後述する収納部２３が位置する部位に設ければよく、これに限らず、後述する空間２６，２７以外の全部分に設けてもよい。
【００３２】
前記の固定突状部２０，２０と連結フレーム１５，１５とにより、これらの間に表裏方向と上方が開口する第１空間２６（実施例では３つ）が形成され、更に、前記外枠１２の左右枠１２ｂ，１２ｂの上部１２ｄと連結フレーム１５，１５間に表裏方向と上方が開口する第２空間２７が形成されている。
【００３３】
また、図１及び図５に示すように、幕板１０の外面を構成する被覆材２２は、伸縮性の材料などの可撓性材料で形成されている。実施例では伸縮性を有する素材で織成された布や伸縮性を有する編み方によって編成された伸縮性を有する布で形成され、前記芯材１１の外枠１２を全体に覆うように芯材１１と同じ長方形の形状で、かつ、袋状に形成されている。また、該被覆材２２は、幕板１０の左右方向（図１の前面から見て左右方向）に伸縮するようになっている。また、該袋状の被覆材２２の少なくとも１辺は開口され、該開口部をファスナー等の接合手段等によって閉めるようになっており、開口部を開口することによって芯材１１に対して着脱可能となっている。
【００３４】
また、袋状の被覆材２２には、前記上部支持具１７，１７と下部支持具１９，１９に位置して穴が形成されており、該穴から前記支持具１７，１７，１９，１９が突出可能となっている。
【００３５】
更に、図５に示すように、幕板１０の裏面である前記被覆材２２の裏面（後側面）、すなわち、フラップテーブル１の後側Ｂ（人が着席する側）の面には、上側に開口部２４を有する袋状の収納部２３が被覆材２２に固着して設けられている。該収納部２３は前記の芯板２１の幅Ｄと略同じ幅に形成され、かつ、芯板２１の略裏側に位置する高さに配置されている。更に、該収納部２３は前記被覆材２２と同材で形成されている。そして、該収納部２３には電源コードやコンセントタップ等の小物を収納できるようになっている。
【００３６】
そして、前記のようにフラップテーブル１の天板５の裏面と前記２本の連結フレーム１５，１５の取付部１６が上部支持具１７，１７により回動可能に接続され、更に、２本の連結フレーム１５，１５の下端部１８が下部支持具１９，１９によって支脚２，２と回動可能に取付けられて、幕板１０が図２に示すようにフラップテーブル１の天板５と支脚２，２の双方に連結されている。
【００３７】
次に、幕板１０の使用状態について説明する。
本実施例１における幕板１０は、図１及び図５に示すように、芯材１１に袋状の被覆材２２を被せることによって、該被覆材２２の上端縁は、外枠１２の左右枠１２ｂ，１２ｂの上端１２ｃと、左右の縦フレーム１５，１５の取付部１６，１６と固定突状部２０の上面とによって、一直線状に張られた状態となり、幕板１０の前面形状は周囲が直線状の長方形となり、幕板としての機能を有し、かつ、外観が損ねられない。
【００３８】
また、縦フレーム１５と固定突状部２０相互の間の第１空間２６における被覆材２２は、芯材１１及び芯板２１が無い状態でテンションを保ちながら存在している。これにより、前記第１空間２６部は芯材１１及び芯板２１が無い中空状態となり、被覆材２２の持つ可撓性、伸縮性によって被覆材２２は表裏（前後）、上下方向に変形可能となり、幕板１０の前側Ａより、この第１空間２６部の被覆材２２ａを片方の手で押し下げるか或いは手前に引いて開口し、この開口部を通じて他方の手を幕板１０の後側Ｂに向って挿入できる。
【００３９】
また、図５に示すように、該幕板１０の後側Ｂには前記のように袋状の収納部２３が備えられており、この収納部２３に電源コードやタップ等の小物を収納できる。そして、前記のように被覆材２２を手で開口して、該開口部から手を挿入して、収納部２３に対して電源コードやタップ等の小物を出し入れすることができ、また、配線操作を行なうことができる。
【００４０】
また、第１空間２６部の被覆材２２ａから手を離すと、被覆材２２の復元力によって、被覆材２２ａは元の直立状態に復元する。
【００４１】
また、幕板１０の内部、すなわち被覆材２２の内部には木板等の芯板２１が設けられているため、収納部２３に電源コードやコンセントタップ等を入れた際に、収納部２３内が膨らんだ場合でも、前側方向の膨らみが芯板２１により阻止されて幕板１０の前側Ａに現れないため、前側面での外観を損ねることがない。
【００４２】
更に、収納部２３に入れた電源コードやコンセントタップ等の荷重によって、第１空間部２６の被覆材２２ａが下方に引張られて垂れ下がることがないよう、被覆材２２の上縁部や収納部２３にゴム等の弾性材を編込み補強してもよい。
【００４３】
また、本発明をフラップテーブル１に適用した場合には、天板５を図３に示すように起立させた時に、図３に示すように支脚２と天板５と幕板１０とが略平行状態で接近する。このとき、支脚２と幕板１０との間に指が介在されても、外枠１２と連結フレーム１５，１５との間に前記の第２空間２７が形成されているため、支脚２と幕板１０との間で指が強く挟まれることがなく安全である。
【００４４】
なお、前記芯材１１の空間２６にウレタンなどの弾性材からなる板材を入れて、空間２６部の被覆材２２に張りをもたせてもよい。
【実施例２】
【００４５】
図６乃至図９は実施例２を示す。
本実施例２である幕板１０の芯材３０は前記実施例１の芯材１１を全て木材や樹脂等の板材で形成したものである。
【００４６】
該芯材３０で形成する幕板１０を装着するフラップテーブル１は前記実施例１と同様であるため、前記と同一部分には前記と同一符号を付してその説明は省略する。
【００４７】
本実施例２で使用する板材３０の外形は、図８に示すように前記実施例１の芯材１１の外形と同じ形状に形成されている。したがって、前記固定突状部２０に相当する固定突状部３１も板材で一体に形成している。また、前記第１空間２６及び第２空間２７も同様に形成されている。また、芯材３０の中心部には空間は形成されていない。また、前記支持具１７，１７，１９，１９と同様に、図６に示すように、天板５の裏面と支脚２，２へ連結する支持具３２，３２，３３，３３が、芯材３０の上部と下部の両端部に備えられている。
【００４８】
該芯材３０は、図９に示すように、前記実施例１と同じ被覆材２２で被われており、該被覆材２２の後面にも収納部２３が備えられている。
【００４９】
本実施例２の芯材３０による幕板１０においても、その芯材３０の前記のような形状により、実施例１と同じように、第１空間２６部において、被覆材２２を変形して前記のように収納部２３に電源コードやタップ等の小物を出し入れできる。また、図８に示すように、芯材３０が全て板材で一体に形成されていることから、収納部２３に物を入れた際に収納部２３が膨らんでも、その膨らみが幕板１０の前側Ａに現れるのを防止できる。更に、第２空間２７が形成されているため、フラップテーブル１の起倒動作時においても、支脚２と幕板１０との間で指が強く挟まれることを防止できる。
【００５０】
更に、本実施例２では、その芯材３０は、板材を所望の形状に形成するのみでよいことから、前記実施例１の幕板に比べて簡単な工程で容易に形成することができる。
【実施例３】
【００５１】
図１０乃至図１３は実施例３を示す。
本実施例３の幕板１０は、図１０乃至図１３に示すように、前記実施例１の固定突状部２０を横フレーム１３に対して回動可能に設けたものである。
【００５２】
本実施例３で使用する芯材４０の外形は、図１２に示すように前記実施例１の２つの固定突状部２０を結合して１つにしたような横長な回転突状部４１を、芯材４０の中央部に設けて形成されている。したがって、前記中央部の第１空間２６は無いが、両側の第１空間２６及び第２空間２７は同様に形成されている。更に、該回転突状部４１には、その下端部に横フレーム１３と平行する回転軸４１ａが形成され、該回転軸４１ａを、横フレーム１３に設けた軸受４２により回転可能に支承し、該回転突出部４１がその回転軸４１ａを軸として上部が前後に回動するように備えられている。また、前記支持具１７，１７，１９，１９は実施例１と同様に備えられている。
【００５３】
その他の芯材４０の構造は前記第１実施例と同様であるため、前記と同様の部分には前記と同様の符号を付してその説明を省略する。
【００５４】
前記芯材４０は、前記実施例１と同じ被覆材２２で前記と同様に被われており、該被覆材２２の後面にも収納部２３が備えられている。
【００５５】
前記回転突状部４１を用いた幕板１０を装着するフラップテーブル１は前記実施例１と同様であるため、前記と同一部分には前記と同一符号を付してその説明は省略する。
【００５６】
本実施例３の回転突状部４１を備えた幕板１０の開口操作においては、図１３（ａ）に示すような回転突状部４１の直立状態から、図１３（ｂ）に示すように回転突状部４１の上部を手でつかみ手前方向Ｋ（テーブル前側）へ引張ることによって、被覆材２２が伸長変形して、回転突状部４１が回転軸４１ａを軸として傾斜し、幕板１０の上部が大きく開口する。これにより、前記のように収納部２３に電源コードやタップ等の小物を出し入れできる。また、作業終了後に、回転突出部４１から手を離すと、被覆材２２に伸縮性があることから、被覆材２２が縮み、その復元力によって、回転突出部４１は自動的に図１３（ａ）の直立状態へ戻り、その直立状態が保持される。
【００５７】
前記のように、回転突状部４１を開閉するようにしたことにより、該回転突状部４１の位置と、この両側の第１空間２６，２６の部分まで開口でき、前記第１実施例と比べて、幕板１０の上部を左右方向の広い範囲で開口することができ、収納部２３の全ての範囲において電源コードやタップ等の小物の出し入れができる。また、実施例１と同じように、図１３（ｃ）に示すように、第１空間２６部においても、部分的に被覆材２２を変形して前記のように収納部２３への出し入れが可能である。
【００５８】
また、前記のように広い範囲で開口できる上に、回転突状部４１が被覆材２２の復元力によって起立保持されるため、被覆材２２の上縁は左右方向に直線状に保持され、見栄えが損なわない。
【００５９】
更に、芯板２１を備えていることから実施例１と同様に、収納部２３に物を入れた際に収納部２３が膨らんでも、その膨らみが幕板１０の前側Ａに現れることも防止できる。更に、第２空間２７も形成されているため、フラップテーブル１の起倒動作時においても、支脚２と幕板１０との間で指が強く挟まれることも防止できる。
【００６０】
なお、回転突状部４１は本実施例３のように１つに限らず、実施例１或いは実施例２に示すような位置に２つ形成してもよい。更に、実施例２のような板材３０で構成されたものにおいても、その固定突状部３１の根元部を水平に切断し、該切断部をヒンジ等を用いて形成してもよい。
【００６１】
以上のことから、前記各実施例のように幕板１０を形成することにより、被覆材２２の上部、すなわち、幕板の上部を左右方向において部分的に変形して開口でき、従来のものに比べ、幕板に簡単な構造で安価に配線機能を持たせることができ、また、収納部での配線作業や小物の出し入れ作業をする際の幕板の開きが容易に行え、かつ、その開閉構造も、前記従来のような開閉機構に比べ簡単な構造で容易に出し入れが可能となる。
【００６２】
また、芯材１１，３０，４０と被覆材２２とが容易に分離できることから、被覆材２２を他の被覆材に取替えたり、洗濯をすることができる。更には、廃棄処理においても素材の分別ができ簡単に廃棄することができる。
【００６３】
なお、本実施例ではフラップテーブルに適用したが、通常の天板が起倒しないテーブルに適用してもよい。
【図面の簡単な説明】
【００６４】
【図１】本発明の実施例１における幕板をフラットテーブルに備えた前面図。
【図２】図１のフラップテーブルの天板を水平姿勢とした側面図。
【図３】図１のフラップテーブルの天板を起立姿勢とした側面図。
【図４】本発明の実施例１における芯材の前面図。
【図５】本発明の実施例１における幕板の断面図で、（ａ）は図１のＥ−Ｅ線断面図、（ｂ）は図１のＦ−Ｆ線断面図。
【図６】本発明の実施例２における幕板をフラットテーブルに備えた前面図。
【図７】図６のフラップテーブルの天板を水平姿勢とした側面図。
【図８】本発明の実施例２における芯材（板材）の前面図。
【図９】本発明の実施例２における幕板の断面図で、（ａ）は図６のＧ−Ｇ線断面図、（ｂ）は図６のＨ−Ｈ線断面図。
【図１０】本発明の実施例３における幕板をフラットテーブルに備え、かつ、被覆材の一部を破断した前面図。
【図１１】図１０のフラップテーブルの天板を水平姿勢とした側面図。
【図１２】本発明の実施例３における芯材の前面図。
【図１３】本発明の実施例３における幕板の断面図で、（ａ）は図１０のＩ−Ｉ線断面で回動突状部が起立した状態の線断面図、(ｂ)は図１０のＩ−Ｉ線断面で回動突状部が倒伏した状態の断面図、（ｃ）は図１０のＪ−Ｊ線断面図。
【符号の説明】
【００６５】
１      テーブル（フラップテーブル）
５      天板
１０    幕板
１１    芯材
２１    芯板
２２    被覆材
２３    収納部
２６    第１空間
３０    芯材（板材）
４０    芯材
４１    回転突状部
【図１】
2006305054.tif 000003
【図２】
2006305054.tif 000004
【図３】
2006305054.tif 000005
【図４】
2006305054.tif 000006
【図５】
2006305054.tif 000007
【図６】
2006305054.tif 000008
【図７】
2006305054.tif 000009
【図８】
2006305054.tif 000010
【図９】
2006305054.tif 000011
【図１０】
2006305054.tif 000012
【図１１】
2006305054.tif 000013
【図１２】
2006305054.tif 000014
【図１３】
2006305054.tif 000015